(57)【要約】　　　（修正有）【課題】上部建築構造と下部建築構造とに斜めに分離し、それぞれをスライド式に分離かつ結合可能に構成して搬送車を用いた搬送に支障のないようにし、かつ上記可搬性に加えて分離かつ結合作業を非常に簡単に行えるようにして、施工性及び経済性を向上させた分割構造を備えた組立て便所を提供する。【解決手段】組立て便所の建屋を、その高さ方向の適宜位置において天井（屋根）および壁を含む建築要素からなる上部建築構造３１と、壁及び床の建築要素からなる下部建築構造３２とに斜めに分離し、それぞれをスライド式に分離かつ結合可能に構成してなることを特徴とする分割構造を備えた組立て便所。【選択図】　　　　　図５
2004100348.tif 000002
【特許請求の範囲】
【請求項１】
組立て便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成してなることを特徴とする分割構造を備えた組立て便所。
【請求項２】
スライド式に分離かつ結合可能に構成され、かつ斜めに分離した上部建築構造と下部建築構造とを、下部建築構造上に取付けたウインチで上部建築構造を牽引してスライド式に昇降させるようにしてなる請求項１に記載の分割構造を備えた組立て便所。
【請求項３】
斜めに分離した上部建築構造と下部建築構造とを分離状態において、なおかつ一部を連結した状態で搬送車に搭載するようにしてなる請求項１または２に記載の分割構造を備えた組立て便所。
【請求項４】
組立て便所が、投下された糞尿をおが屑と撹拌する方式の便槽を備え、この便槽を斜めに分離した下部建築構造側に配置してなる請求項１ないし３のいずれかに記載の分割構造を備えた組立て便所。
【請求項５】
組立て便所が、投下された糞尿を電動式の回転軸を備えた攪拌機構でおが屑と撹拌する方式の便槽を備え、そのための蓄電池を斜めに分離した下部建築構造側に配置してなる請求項１ないし４のいずれかに記載の分割構造を備えた組立て便所。
【請求項６】
蓄電池への充電手段がソーラーパネルおよび／または風車からなり、これらを斜めに分離した上部建築構造側に配置してなる請求項１ないし５のいずれかに記載の分割構造を備えた組立て便所。
【請求項７】
ソーラーパネルが、斜めに分離した上部建築構造側に予め配置された状態で現場へ搬送するようにしてなる請求項１ないし６のいずれかに記載の分割構造を備えた組立て便所。
【発明の詳細な説明】
【０００１】
【発明の属する技術分野】この発明は、一般住宅用から業務用さらに緊急災害用として広く有用な組立て便所に関し、特に一定の規模を有するように構成された組立て便所を上下に分離かつ結合可能な構造とすることにより、搬送を容易にすると同時に施工性をも向上させた、分割構造を備えた組立て便所に関する。
【０００２】ここで、「組立て便所」の用語は、「例えば工場で生産した便所であって、現場に搬送して据え付けるものを意味し、現場で一から施工するものではない便所」を「組立て便所」と通称するのに倣って、「建屋部分とその設備部分を一定の範囲で組み合わせて一体化した便所」の意で使用する。
【０００３】
【従来の技術】従来から工事現場等において糞尿を処理するのに、ＦＲＰ製やアルミ製のハウジング内に便器を設置し、その下部に便槽を内蔵させた簡易便所が用いられている。これらは非常にコンパクトで搬送には特に問題はないが、便槽に溜まった汚物を頻繁に処理することが必要である。
【０００４】そのため近年、おが屑中に糞尿を導き入れて、おが屑及び糞尿ともども攪拌して微生物により分解処理する装置が市販されており、家庭用トイレとして、あるいは各種のイベントなどで臨時に設置される仮設トイレとして、あるいは観光地や登山者向けのものとして利用されている。このタイプの組立て便所は、水を使わずに済むとともに臭わず、しかも糞尿の分解処理物は堆肥や土壌改良材として有効利用することができる。
【０００５】また、上記従来のおが屑を利用するタイプの組立て便所を改良したものとして本発明者等は、天板に糞尿が入る開口部を有するとともに、Ｕ字状断面に形成した便槽と、便槽内に水平状に架設され、モータで駆動される回転軸と、この回転軸に対して所定の間隔で保持したおが屑及び糞尿を撹拌する螺旋状の撹拌部と、Ｕ字状断面のステンレス製便槽の外周に積層した、便槽を所定の温度に加温する発熱線と、便槽内を換気する排気手段等とを備えたものをすでに提案（特願２００１−２３９９９４）している。
【０００６】
【発明が解決しようとする課題】しかしながら、上述のような駆動部を備えた便槽を具備する組立て便所においては、特に上記便槽部分の影響で従来の仮設トイレや組立て便所よりも高さがかなり高くなっている。特に便槽内部に設置した攪拌部の存在により、便器を一定の高さにする必要があった。また、本願のようにソーラーパネルを予め天井（屋根）に設置した状態で輸送するものであるような場合、ソーラーパネルは強風にも耐えられるように屋根に接するように並べて固定してあり、しかもその機能を発揮するためには太陽光に向かってかなりの傾斜角度を必要とするため、上記理由とも相まって組立て便所はその高さを抑えることが難しかった。
したがって、この発明におけるような組立て便所においては、トラック等の搬送車に積載したときに、道路交通法における高さ制限を越えてしまうという問題点があった。
【０００７】こうしたなかで本発明者らは、上記組立て便所の道路交通法における高さ制限を回避する手段について研究開発を重ね、建屋を分割して搬送することができないかについて種々検討してきた。
【０００８】その成果物のひとつが本発明の分割構造を備えた組立て便所であって、組立て便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成したものである。
【０００９】この発明は従来例の問題点を以上の構成を採用して解消したものであり、上部建築構造と下部建築構造とに斜めに分離し、それぞれをスライド式に分離かつ結合可能に構成して搬送車を用いた搬送に支障のないようにし、かつ上記可搬性に加えて分離かつ結合作業を非常に簡単に行えるようにして、施工性及び経済性を向上させた分割構造を備えた組立て便所を提供するものである。
【００１０】
【課題を解決するための手段】すなわち上記課題を解決するためにこの発明の分割構造を備えた組立て便所は、組立て便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成したことを特徴とするものである。
【００１１】またこの発明の分割構造を備えた組立て便所は、上記スライド式に分離かつ結合可能に構成され、かつ斜めに分離した上部建築構造と下部建築構造とを、下部建築構造上に取付けたウインチで上部建築構造を牽引してスライド式に昇降させるようにしたことをも特徴とするものである。
【００１２】この発明の分割構造を備えた組立て便所は、上記斜めに分離した上部建築構造と下部建築構造とを分離状態において、なおかつ一部を連結した状態で搬送車に搭載するようにしたことをも特徴とするものである。
【００１３】この発明の分割構造を備えた組立て便所は、上記組立て便所が、投下された糞尿をおが屑と撹拌する方式の便槽を備え、この便槽を斜めに分離した下部建築構造側に配置したことをも特徴とするものである。
【００１４】この発明の分割構造を備えた組立て便所は、上記組立て便所が、投下された糞尿を電動式の回転軸を備えた攪拌機構でおが屑と撹拌する方式の便槽を備え、そのための蓄電池を斜めに分離した下部建築構造側に配置したことをも特徴とするものである。
【００１５】この発明の分割構造を備えた組立て便所は、上記蓄電池への充電手段がソーラーパネルおよび／または風車からなり、これらを斜めに分離した上部建築構造側に配置したことをも特徴とするものである。
【００１６】この発明の分割構造を備えた組立て便所は、上記ソーラーパネルが、斜めに分離した上部建築構造側に予め配置された状態で現場へ搬送するようにしたことをも特徴とするものである。
【００１７】
【発明の実施の形態】以下にこの発明の分割構造を備えた組立て便所の実施の形態を、図面に基いて詳細に説明する。
【００１８】通常（工場出荷時に）、各設備は上部建築構造と下部建築構造とに分けられて設置完了しており、これらを車載輸送して施工場所に搬入し、現地組立てにより構築することができる。したがって、可搬性と仮設性を兼備したものとなっている。
図１は分割構造を備えた組立て便所の結合状態の左側面図、図２はその右側面図、図３（ａ）はその正面図、（ｂ）はその背面図、図４は設備部分の配置を示す平面図、図５は組立て便所の分離状態の側面図、図６はその要部を示す拡大側面図である。
【００１９】図１ないし図４に示すように、この発明の分割構造を備えた組立て便所１は、従来と同様、床部分３と、外壁部分４と、天井（屋根）部分５とで構成される建屋２を備えており、この建屋２は骨組みは鉄骨構造で、外壁部分４には適宜ログハウス風の木材パネルやサイディングパネル等が組付けられている。
【００２０】そして床部分３上部には図４に示すように、外壁部分４で囲まれた上面の一側に踊り場６を備えており、踊り場６の片側には踊り場６へ上るステップ７が設けられている。また、踊り場６の他方の側には便室８に入るドア９が開閉自在に取付けられている。便室８は、手洗い等が設けられるアプローチ１１を介して、洋式あるいは和式の便器１２のある区画１３と、小便器１４のある区画１５とを備えている。これらの設備のない区画１６は制御機器類のための区画であり、１７は外に向かって開閉する上部点検口である。
【００２１】他方、床部分３の下部には、洋式あるいは和式の便器１２のある区画１３と制御機器類のための区画１６とにまたがってＵ字形断面の便槽１８が設置されている。このＵ字状断面の便槽１８は、天板１９に糞尿が入る開口部を有しており、便槽１８内には水平状に架設され、モータ２２で駆動される回転軸２１と、この回転軸２１に対して所定の間隔で保持たおが屑及び糞尿を撹拌する螺旋状の撹拌部２３とが組付けられている。なお、Ｕ字状断面のステンレス製便槽１８の外周には、便槽１８を所定の温度に加温する発熱線と、便槽１８内を換気する排気手段等とを備えていることが望ましい。
【００２２】建屋２上部の天井（屋根）部分５には、その上面にソーラーパネル２４がほぼ全面に取り付けられ、太陽光発電によって得られた電力は、上記制御機器類のための区画１６に設置された蓄電池２５に充電される。また、上記天井（屋根）部分５には風力発電のための風車２６が建屋２の側壁部分に支持アーム２８を介して取付けた支持ポール２７上に設置されている。この風車２６によって得られた電力も、上記制御機器類のための区画１６に設置された蓄電池２５に充電される。したがって、日光があるときには太陽光発電を、曇りや雨のときには風力発電をおこない、得た電力を蓄電池１５に充電してこれを上記モータ２２による回転軸２１の駆動や、換気扇２０のためだけの駆動電力として、照明器具用の電力として適宜利用することができる。図中２９は、制御機器類のための区画１６に設置した制御盤である。
【００２３】また、建屋２上部の天井（屋根）部分５の下端に設けた排水部分からの雨水を集め、それを手洗水として洗面器に流すための雨水浄化装置３０が取り付けられている。この雨水浄化装置３０は、所定の長さを有して建屋２の壁面に取り付けられ、内部に木炭や竹炭その他の活性炭、プラスチックやセラミック製等の濾材が充填されている。もちろん、その上面には各種素材からなるネット、パンチングメタル等からなるフィルタを搭載しておくことが必要である。そして雨水浄化装置３０の濾過水は、洗面器等に流されて手洗い等に利用されるのである。
【００２４】以上のように構成された組立て便所１は、図５および図６に示すように、その高さ方向に分割部Ｓを設けて、建屋２を天井（屋根）部分５および外壁部分４の一部の建築要素からなる上部建築構造３１と、外壁部分４の一部および床部分３の建築要素からなる下部建築構造３２とに分割し、それぞれを分離可能で結合可能に構成している。この上部および下部建築構造を分離可能で結合可能に構成するという場合、単に外壁部分４の適宜位置で水平に切断した状態で分離可能としたり、あるいは特開２０００−２２０３１０のような天井部分のみを分離可能とすることが考えられる。しかしながらこの発明においては、建屋２の外壁部分４を斜めに分断して、天井（屋根）部分５および外壁部分４の一部の建築要素からなる上部建築構造３１と、外壁部分４の一部および床部分３の建築要素からなる下部建築構造３２とに分割している。
【００２５】そして、分離可能で結合可能な上部建築構造３１は下部建築構造３２上を、スライド式に移動するよう構成してある。すなわち、下部建築構造３２の外壁部分上にはレール３３が敷設してあり、上部建築構造３１の外壁部分の下面にはスライダ３４が取付てある。また、下部建築構造３２の外壁部分の上側端部には巻上げ用ウインチ３５が取付けられている。したがって、ワイヤ３６等を上部建築構造３１の端部に連結し、ワイヤ３６を巻上げ用ウインチ３５をハンドル３７で回して上部建築構造３１を牽引することにより、スムーズに上部建築構造３１を下部建築構造３２上の所定の位置までスライドさせることができる。図中３８は上部建築構造３１の下側端部に垂下させた支持脚であり、上部建築構造３１を分離した際に下部建築構造３２で支持される端部とは反対側の端部を支持するためのものである。
【００２６】この発明の組立て便所１は、工場から設置する現場へ搬送する際には、上部建築構造３１を斜めにスライドさせて下部建築構造３２と分離した状態とし、組立て便所１の高さを嵩下げした上、トラック等の搬送車へ積載する。このように組立て便所１を上下に分離して搬送すれば、道路運送上何ら問題を生じることがない。
【００２７】また、設置する現場へ搬送した後、ワイヤ３６を巻上げ用ウインチ３５をハンドル３７で回して上部建築構造３１を牽引することにより、スムーズに上部建築構造３１を下部建築構造３２の所定の位置までスライドさせるだけで、両者を簡単に結合することができる。この実施例では上部建築構造３１のスライド機構として巻上げ用ウインチ３５を例示し、またそれを手動で巻き上げる例について説明したが、それを電動式としたり、巻上げ用ウインチ３５をラチェット式にして安全性を考慮したり、巻上げ用ウインチ３５に代わる油圧シリンダ等を用いたりすることもできる。
【００２８】上記便器や小便器、便槽、蓄電池、制御盤等の各設備は、通常（工場出荷時に）、上部建築構造３１と下部建築構造３２とに分担して設置完了しており、これらを車載輸送して施工場所に搬入し、現地組立てにより構築することができる。したがって、可搬性と仮設性を兼備したものとなっている。
【００２９】なお、上記便器や小便器、便槽はもちろん下部建築構造３２に設置されるが、蓄電池、制御盤等の各設備を上部建築構造３１と下部建築構造３２のどちらに設置するかは適宜決定することができる。もちろん、設置後の組立て便所１の安定性を考慮すれば、下部建築構造３２に設置しておくことが望ましいことである。なお、ソーラーパネルや風車等は、設置場所で組み立てればよい。
【００３０】
【発明の効果】本発明は以上の構成よりなるものであり、これによれば組立て便所の道路交通法における高さ制限を、建屋を分割して搬送することにより簡単に回避することができるようになった。すなわち、組立て便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成することにより、搬送車を用いた搬送に支障のないようにし、かつ上記可搬性に加えて分離かつ結合作業を非常に簡単に行えるようにして、施工性及び経済性を向上させた分割構造を備えた組立て便所を提供できるようになった。
【００３１】しかも、建屋の上部建築構造と下部建築構造をそれぞれ分離可能で結合可能に構成し、かつ、各設備を分担して設置完了することにより、これらを車載輸送して施工場所に搬入する可搬性と、現地組立てにより構築・脱構築可能な仮設性を兼備しているので、施工性及び経済性の向上、特に工期短縮による大幅な施工コストの低減が図れる。
またその際、上部建築構造と下部建築構造とに斜めに分離し、それぞれをスライド式に分離かつ結合可能に構成したので、分離かつ結合作業を少人数で簡単かつ迅速に行えるようになった。
【００３２】以上のような構成を備えたこの発明の組立て便所においては、どのような場所にでも設置することができ、また簡単に移設することができる。したがって、ソーラーパネルや風力発電により電力を自家調達することができ、また雨水を利用する雨水浄化装置を備えていて手洗い等の水も自家調達することができることと相まって、地震や台風、大火災等の際の災害対策用としても非常に有効に活用することができる。
【図面の簡単な説明】
【図１】この発明の分割構造を備えた組立て便所の結合状態の左側面図である。
【図２】その右側面図である。
【図３】（ａ）はその正面図、（ｂ）はその背面図である。
【図４】設備部分の配置を示す平面図である。
【図５】組立て便所の分離状態の側面図である。
【図６】その要部を示す拡大側面図である。
【符号の説明】
１　組立て便所
２　建屋
３　床部分
４　外壁部分
５　天井（屋根）部分
６　踊り場
７　ステップ
８　便室
９　ドア
１１　アプローチ
１２　便器
１３　区画
１４　小便器
１５　区画
１６　設備のない区画
１７　上部点検口
１８　便槽
１９　天板
２０　換気扇
２１　回転軸
２２　モータ
２３　撹拌部
２４　ソーラーパネル
２５　蓄電池
２６　風車
２７　支持ポール
２８　支持アーム
２９　制御盤
３０　雨水浄化装置
３１　上部建築構造
３２　下部建築構造
３３　レール
３４　スライダ
３５　巻上げ用ウインチ
３６　ワイヤ
３７　ハンドル
３８　支持脚
【図１】
2004100348.tif 000003
【図２】
2004100348.tif 000004
【図３】
2004100348.tif 000005
【図４】
2004100348.tif 000006
【図５】
2004100348.tif 000007
【図６】
2004100348.tif 000008